(57)【要約】【課題】水田用の止水装置を人力で持ち運び設置可能とすると共に、強度と耐久性を向上させる。【解決手段】圃場３と畦４の境界部を止水性を有する基盤まで掘削し、杭１の片斜面１１を圃場側にして木ハンマーで打ち込む。杭１の嵌合溝１０には、吸水性ポリマー等の水膨潤性の塗料を１ｍｍの厚さに塗布してから打ち込む。水膨潤性塗料は設置後に田の水を吸収して膨潤して嵌合溝１０に嵌めこんだパネル２と杭１間を水密状態に維持し、水漏れを防止する。水膨潤性塗料が塗布してあると、パネル２に力が作用して杭１とパネルの嵌合部が変位しても水密状態は維持される。【選択図】図２
0003138784.tif 000002
【実用新案登録請求の範囲】
【請求項１】
セメントモルタル製の断面Ｈ型で両側面に嵌合溝を有し、先端が片斜面である杭と、底部が片斜面であると共に、断面Ｈ型の杭の嵌合溝に密着嵌合するセメントモルタル製のパネルとからなる水田用止水装置。
【請求項２】
請求項１において、セメントモルタルに補強用の繊維が混入してある水田用止水装置。
【請求項３】
請求項１または２において、杭の嵌合凹部、もしくはパネルの側面に水膨潤性塗料を塗布した水田用止水装置。
【請求項４】
請求項１〜３のいずれかにおいて、パネルの表面が小動物が昇降できるように粗面化処理されたものである水田用止水装置。
【請求項５】
請求項１〜３のいずれかにおいて、パネルの表面に小動物昇降用の斜めの溝が形成してある水田用止水装置。
【考案の詳細な説明】
【技術分野】
【０００１】
本考案は、水田の水が畦から漏出するのを防止するための止水装置に関する。
【背景技術】
【０００２】
日本の稲作は水を多量に使用するものであり、一定区画を囲む畦を設置して水が流出するのを防止している。畦は、泥質の土を盛り上げて土手として水を水田内に貯留するものであるが、土構造物であるため、モグラやザリガニが穴をあけることがあり、この穴から水田内の水が流出し、畦の役割を果さなくなることがある。
【０００３】
崩れたり、モグラ等により穴があけられた畦を従来は田植の前に修復するのが一般的であった。畦の崩れた箇所は盛土し、穴が形成された箇所には粘土を塗りつけて穴を塞ぐ作業がおこなわれていた。
しかしながら、稲作従事者が老齢化し、また、畦の修復作業は機械化が難しく人力に頼らざるを得ない作業は重労働であることから、長さ１０ｍ、幅２５０〜３００ｍｍ、厚さ０．２ｍｍ程度の柔らかい塩化ビニールのシートや幅６００ｍｍ、高さ３００〜３５０ｍｍ、厚さ５〜１０ｍｍの合成樹脂製のボード、もしくはコンクリート板等を畦の水田側に設置する方法が漏水防止に採用されるようになった。これらの人工止水板は、老齢化して力の弱い人でも取り扱いができるように、単位ユニットは軽量であることが必須である。
合成樹脂製の止水板として特許文献１（特開２００４−３３０４６号公報）には、横長板状のプレートの前面に支柱溝を設け、支柱を地中に打ち込んで転倒を防止することが開示されている。
【特許文献１】特開２００４−３３０４６号公報
【考案の開示】
【考案が解決しようとする課題】
【０００４】
しかし、塩化ビニール樹脂などの合成樹脂製品は、紫外線によって劣化が進行して強度が低下するのを避けることができず、また、軽量化のため断面積を小さくしているので大きな強度が得られない。また、代掻きや田植で使用する機械が接触するだけで破損し、亀裂から水田内の水が流出して止水機能が失われることが多かった。このため、稲作が完了する秋に止水板を設置場所から取り外し、洗浄して保管し、翌年の稲作開始前に再設置しなければならず、老齢化した稲作従事者にとって大きな負担となっていた。
合成樹脂より高強度の製品が得られるコンクリート製の止水板は、重量が大きいため敷設するに際して人力だけでは無理で、重機を必要とするが、水田へのアプローチが整備されていなかったり、傾斜地の水田では重機を水田の近くに運び込むこと自体が大変であり、コストがかかるので採用されなかった。
【０００５】
更に、塩化ビニールシートや合成樹脂ボードは軽量化を第一目的としているため、剛性が小さく、固めの土壌に対して押し込んで設置する際に座屈してしまう恐れがあり所定の深さに垂直に押し込むことができず、斜めに押し込まれてしまうことがあるのでモグラの穴を完全には塞ぐことができなかった。垂直に設置するためには設置用の溝を掘削することもあり、大きな手間がかかっていた。
合成樹脂製シートの寿命は２〜３年、合成樹脂製ボードの寿命は５年程度と比較的寿命が短く、維持費用がかかっていた。
本考案は、押し込みによって必要深さに設置できる剛性を有すると共に、人力で持ち運び設置可能な重量にユニット化した水田圃場用の止水装置を提供するものである。
【課題を解決するための手段】
【０００６】
セメントモルタルで製造された断面Ｈ型で両側に嵌合溝を有し、先端が片斜面としてある杭と、杭の嵌合溝に嵌合して密接して止水状態となるパネルであって、底部が片斜面であるセメントモルタル製パネルとからなる水田用止水装置である。セメントモルタルに補強用の繊維を混入して強度を落とすことなく軽量化を図ったものである。
強度を高めたことによって田植機等の機器が衝突しても破損が起きず、紫外線の影響を受けないので耐用年数が長くなり、季節ごとに設置や取外しを繰り返す必要がないので維持費用を削減することができるのである。
【０００７】
セメントモルタルは、軽量モルタルが好ましく、補強材として混入する繊維材料は、鋼繊維、炭素繊維、ガラス繊維、ビニロン繊維等の合成繊維など種々のセメントコンクリート補強用繊維が使用できる。
【考案の効果】
【０００８】
セメントモルタル製であるので耐久性と強度を有しており、塩化ビニールシートや合成樹脂ボードのように秋の稲の収穫後に回収して洗浄保管することなく、水田に設置した状態で放置して次の田植を迎えることができるので、維持管理の手間を大幅に省くことができる。
杭とパネルは原材料としてセメントモルタルを採用し、小型軽量のユニットとしており、重量を最大で８ｋｇ程度としてあるので女性や老人でも取り扱うことができ、重機を使用することなく、また、設置のための溝掘り作業をすることなく人力で設置することが可能である。
また、繊維材料を補強材として混入して鉄筋を使用していないので、農業機械が作業時に接触しても機械を破損することがない。
Ｈ型断面の杭とパネルを組み合わせてユニット化していることから、農業機械が衝突するなどして杭やパネルが破損しても、破損したユニットのみを交換すればよく、経済的である。
【考案を実施するための最良の形態】
【０００９】
実施例
杭１の断面形状は、図１に示すように幅５０ｍｍ高さ３１ｍｍ、長さが４００〜４５０ｍｍのＨ型であり、ウェブ厚が１０ｍｍであり、嵌合溝１０の幅は１１ｍｍである。混入する補強用繊維は太さが０．５〜２ｍｍ、長さ５〜１０ｍｍである。
パネル２は、幅１０００ｍｍ、厚さ１０ｍｍ、高さ３００〜４００ｍｍであり、混入する繊維は長さ１０〜２５ｍｍの鋼繊維を使用した。
粘土を盛り上げて形成した畦をセメントモルタルのパネルで仕切ることになる。セメンモルタルパネルの表面は平滑であり小動物が昇降できなくなり動物の移動が阻止される恐れがあるので、必要に応じにパネルの表面を適宜の手段で粗面化処理するか、パネルの表面に小動物昇降用の斜めの溝を形成することが好ましい。
【００１０】
本考案の止水装置の田圃への施工手順は以下のようである。
図２に示すように圃場３と畦４の境界部を止水性を有する基盤まで除去し、杭１の片斜面１１を圃場側にして木ハンマーで打ち込む。杭１の嵌合溝１０には吸水性ポリマー等からなる水膨潤性の塗料を１ｍｍの厚さに塗布したものを打ち込んでもよい。水膨潤性塗料は必要に応じてパネル２の底部に塗布してもよい。水膨潤性塗料は、設置後に田の水を吸収して膨潤して嵌合溝１０に嵌めこんだパネル２と杭１間を水密状態に維持し、水漏れを防止する。水膨潤性塗料の例としては特公平６−９６６８８号公報に開示された電離性吸水ポリマー、多価金属化合物及びエラストマーの有機溶剤溶液からなる水膨張性塗料組成物やベントナイトなど水膨張製無機鉱物を使用する。
水膨潤性塗料が塗布してあると、パネル２に力が作用して杭１とパネルの嵌合部が変位しても水密状態は維持される。
【図面の簡単な説明】
【００１１】
【図１】本考案の止水装置の正面図及び側面図、断面図。
【図２】本考案の止水装置の使用状態斜視図と断面図。
【符号の説明】
【００１２】
１            杭
１０          嵌合溝
２            パネル
【図１】
0003138784.tif 000003
【図２】
0003138784.tif 000004